(57)【特許請求の範囲】
【請求項１】
子供のワゴンにおいて、
ａ）ほぼ水平な床を有する本体と、
ｂ）該本体に回転可能に取り付けられた１対の前輪及び１対の後輪と、
ｃ）該本体に取り付けられたハンドルと、
ｄ）ワゴン本体に取外し可能に接続された前壁及び後壁であって、各々が第１の側端縁及び第２の側端縁を有する前記前壁及び後壁と、
ｅ）ワゴン本体に取外し可能に接続された１対の側壁であって、各々が前縁及び後縁を有する前記１対の側壁と、
を備え、
ｆ）前記前壁及び後壁の各々が、第１の側端縁に隣接して配置された第１の水平面と、第２の側端縁に隣接して配置された第２の水平面とを有し、前記第１及び第２の水平面の各々が半球形のカップ及び半球形のノブを有し、前記半球形のカップ及び半球形のノブは、互いに独立に形成され、前記半球形のノブは、前記水平面に、前記水平面から突出して形成され、前記半球形のカップは、前記水平面に、前記水平面内への窪みとして形成され、
ｇ）前記対の側壁の各々が、前縁に隣接して配置された前側水平面と、後縁に隣接して配置された後側水平面とを有し、前記前側及び後側水平面の各々が半球形のカップ及び半球形のノブを有し、前記半球形のカップ及び半球形のノブは、互いに独立に形成され、前記半球形のノブは、前記水平面に、前記水平面から突出して形成され、前記半球形のカップは、前記水平面に、前記水平面内への窪みとして形成され、
ｈ）前記側壁カップの各々が、前壁及び後壁ノブの各々１つを受け入れ得る寸法とされ、前記前壁及び後壁カップの各々が、側壁ノブの各々１つを受け入れ得る寸法とされ、前記側壁が前記前縁により前壁に及び前記後縁により後壁に取外し可能に接続され、ワゴン本体の水平床がほぼ取り巻かれるようにした、
子供のワゴン。
【請求項２】
請求項１のワゴンにおいて、前記前壁、後壁及び側壁の各々が、少なくとも１つのタブが形成された底端縁を有し、前記本体がほぼ水平な床の周縁に沿って形成された複数のタブ空所を有し、前記タブの各々が前記タブの空所の独立的な空所に係合可能な寸法とされ、
これにより前記前壁、後壁及び側壁がワゴン本体に取外し可能に接続される、ワゴン。
【請求項３】
請求項２のワゴンにおいて、本体が、タブ空所が形成された床の周縁の周りに形成されたリップ部を有する、ワゴン。
【請求項４】
請求項２のワゴンにおいて、前記前壁及び後壁の各々が少なくとも１つの掛止突起が形成された底端縁を有し、前記本体がほぼ水平な床の周縁に沿って形成された複数の掛止突起空所を備え、前記掛止突起の各々が前記掛止突起の空所の独立的な空所と係合可能な寸法とされ、
これにより前記前壁、後壁及び側壁がワゴン本体に取外し可能に接続される、ワゴン。
【請求項５】
請求項４のワゴンにおいて、前記前壁及び後壁が頂端縁を有し、掛止突起が最初に掛止突起空所内に挿入されるとき、前壁及び後壁がその頂端縁がワゴン床に向けて付勢された状態で傾動しなければならないような掛止突起の形状とされる、ワゴン。
【請求項６】
請求項１のワゴンにおいて、前記前壁及び後壁の各々が少なくとも１つの掛止突起が形成された底端縁を有し、前記本体がほぼ水平な床の周縁に沿って形成された複数の掛止突起空所を備え、前記掛止突起の各々が前記掛止突起の空所の独立的な空所と係合可能な寸法とされ、
これにより前記前壁、後壁及び側壁がワゴン本体に取外し可能に接続される、ワゴン。
【請求項７】
請求項６のワゴンにおいて、前記前壁及び後壁が頂端縁を有し、掛止突起が最初に掛止突起空所内に挿入されるとき、前壁及び後壁がその頂端縁がワゴン床に向けて付勢された状態で傾動しなければならないような掛止突起の形状とされる、ワゴン。
【請求項８】
請求項１のワゴンにおいて、前壁及び後壁の第１の水平面に形成されたノブが、前壁及び後壁の第１の水平面に形成されたカップよりも前壁及び後壁の第１の端縁により近い位置に配置され、前壁及び後壁の第２の水平面に形成されたノブが、前壁及び後壁の第２の水平面に形成されたカップよりも前壁及び後壁の第２の端縁により近い位置に配置される、ワゴン。
【請求項９】
請求項１のワゴンにおいて、前記前壁及び後壁の各々が、前記第１及び第２の水平面がその上に配置されるその第１及び第２の端縁に切欠きを有し、前記側壁の各々が、前記前側水平面及び後側面がそれぞれその下方に配置されるその前縁及び後縁にて水平方向伸長部分を有する、ワゴン。
【請求項１０】
請求項１のワゴンにおいて、本体に枢動可能に取り付けられたボルスターを更に備え、前記対の前輪及び前記ハンドルが前記ボルスターに取り付けられる、ワゴン。
【請求項１１】
請求項１のワゴンにおいて、前記前壁、後壁及び側壁が、通路が成形されたプラスチックでできている、ワゴン。
【請求項１２】
請求項１のワゴンにおいて、前記本体がプラスチックで出来ており且つ格納区域を有する、ワゴン。
【請求項１３】
水平床と、該本体に回転可能に取り付けられた１対の前輪及び１対の後輪と、本体に取り付けられたハンドルとを有する本体を備える、子供のワゴン用の改良された取外し可能な壁装置において、
ａ）ワゴン本体に取外し可能に接続し得るようにされた前壁及び後壁であって、その各々が、第１の側端縁及び第２の側端縁を有する前記前壁及び後壁と、
ｂ）ワゴン本体に取外し可能に接続し得るようにされ、その各々が、前縁及び後縁を有する１対の側壁と、
を備え、
ｃ）前記前壁及び後壁の各々が第１の側端縁に隣接して配置された第１の水平面と、第２の側端縁に隣接して配置された第２の水平面とを有し、前記第１及び第２の水平面の各々が半球形のカップ及び半球形のノブを有し、前記半球形のカップ及び半球形のノブは、互いに独立に形成され、前記半球形のノブは、前記水平面に、前記水平面から突出して形成され、前記半球形のカップは、前記水平面に、前記水平面内への窪みとして形成され、
ｄ）前記１対の側壁の各々が、前縁に隣接して配置された前側水平面と、後側端縁に隣接して配置された後側水平面とを有し、前記前側及び後側水平面の各々が半球形のカップ及び半球形のノブを有し、前記半球形のカップ及び半球形のノブは、互いに独立に形成され、前記半球形のノブは、前記水平面に、前記水平面から突出して形成され、前記半球形のカップは、前記水平面に、前記水平面内への窪みとして形成され、
ｅ）前記側壁カップの各々が、前壁及び後壁ノブの各々１つを受け入れ得る寸法とされ、前記前壁及び後壁カップの各々が、側壁ノブの各々１つを受け入れ得る寸法とされ、前記側壁が前記前縁により前壁に及び前記後縁により後壁に取外し可能に接続することができ、ワゴン本体の水平床がほぼ取り巻かれるようにした、
子供のワゴン用の改良された取外し可能な壁装置。
【請求項１４】
請求項１３の壁の配置において、前壁及び後壁の第１の水平面に形成されたノブが、前壁及び後壁の第１の水平面に形成されたカップよりも前壁及び後壁の第１の端縁により近い位置に配置され、前壁及び後壁の第２の水平面に形成されたノブが、前壁及び後壁の第２の水平面に形成されたカップよりも前壁及び後壁の第２の端縁により近い位置に配置される、壁の配置。
【請求項１５】
請求項１３のワゴンにおいて、前記前壁及び後壁の各々が、前記第１及び第２の水平面がその上に配置されるその第１及び第２の端縁に切欠きを有し、前記側壁の各々が、前記前側水平面及び後側面がそれぞれその下方に配置されるその前縁及び後縁にて水平方向伸長部分を有する、ワゴン。
【発明の詳細な説明】
【０００１】
【発明の属する技術分野】
本発明は、子供のワゴンに関し、さらに詳しく言えば、改良された取外し可能な壁を有する子供のワゴンに関する。
【０００２】
【従来の技術】
子供のワゴンは、当該技術分野にて周知である。典型的なワゴンは、子供が座り又は荷物を置くことのできる水平支持面又は床と、子供又は荷物がワゴンから落下するのを防止すべく水平支持面から上方に伸びる側壁と、移動するための前輪及び後輪組立体と、ワゴン本体に取り付けられ、これによりユーザがワゴンを引くことができるようにする何らかの型式のハンドルとを備えている。
【０００３】
ワゴンは、例えば、ワゴンを車のトランクに入れて容易に運び又は格納することのできるように取外し可能な側壁を有することがしばしばである。更に、取外し可能な側壁を有するワゴンは、過大寸法の荷物を容易に受け入れる。
【０００４】
【発明が解決しようとする課題】
ヴォン・ブラッケ（Ｖａｍ  Ｂｒａｕｃｋｅ）らに対する米国特許第５，５２９，３２３号には、取外し可能な側壁を有するワゴンが開示されている。ヴォン・ブラッケらの米国特許第５，５２９，３２３号のワゴンは、前輪及び後輪組立体を有するフレーム上に取り付けられた水平支持面を備えている。また、該フレームは、支持面の上方に突き出す多数の端部開放のポールを有している。ポールは、側壁をワゴンのフレームに固着するため右側壁及び左側壁から垂直方向突起を受け入れる。前壁及び後壁の対向したほぼ垂直方向端縁は、右側壁及び左側壁に形成された溝内に摺動し、このため、水平支持面は取り巻かれる。前壁及び後壁はフレーム又は支持面に係止されていないため、それが子供であるか又は何らかの型式の材料であるかを問わず、側壁を所要位置外に倒すことにより荷物がワゴンの前部又は後部から落下する可能性がある。更に、このワゴンの組立ては、荷物領域を形成し得るように前壁及び後壁を左側壁及び右側壁と整合させるために顕著な協働を必要とするため、子供がこのワゴンを組み立てることは難しいであろう。
【０００５】
パシン（Ｐａｓｉｎ）らに対する米国特許第５，６６９，６１７号には、改良された取外し可能な壁の構成を有するワゴンが記載されている。パシンらの米国特許第５，６６９，６１７号のワゴンは、前壁及び後壁と、右側壁及び左側壁とによって取り巻かれた水平支持面とを有している。かかる壁の各々は、多数の水平レールと、１対の垂直脚部とから成っている。水平レール及び垂直脚部は、締結具により共に保持されるか又は模擬した締結具によって単一の成形部品として形成される。側壁は、その端部に形成された水平方向に伸びる柄状部を有している。柄状部は、前壁及び後壁の端部に形成された、相応する凹部に係合する。壁の各々は、下方に伸びて、水平支持面に形成された空所と相互に係止する垂直タブも有している。パシンらの米国特許第５，６６９，６１７号のワゴンは、著しく改良された取外し可能な壁の構成を提供するものの、壁の組立ての容易さ及び堅牢さの点にて依然として改良の余地がある。
【０００６】
その他のワゴンの設計は、壁の組立ての容易さ及び（又は）堅牢さの点にて従来技術を殆んど改良しない。ブロー（Ｂｒｏ）らに対する米国特許第５，３６０，２２２号には、子供が座するのに十分に大きい座部を有する玩具ワゴンが記載されている。該ワゴンは、座部を包み込む前壁、後壁及び側壁を有している。上述した特許のワゴンの設計と同様に、ブローの米国特許第５，３６０，２２２号に係るワゴンの壁はワゴンに取外し可能に取り付けられている。特に、壁は、ワゴンの本体に形成された相応する収納部に滑り込む、下方に伸びるタブを特徴としている。しかし、側壁は互いに取り付けられない。かかる構成は座部に配置された物品又は（及び）子供に対し最適な構造的支持体又は安定性を提供しない。
【０００７】
バリガ（Ｖａｌｉｇａ）らに対する米国特許第４，９０３，８３１号には、対向し且つ取外し可能な１対の壁伸長部を有するワゴンが開示されている。単体部分の各々は、ほぼ「Ｃ字形」形状であり、また、側部分、前側部分及び後側部分を特徴としている。側部分はワゴンの長さに沿って伸びる一方、前側部分及び後側部分の各々はワゴンの幅を亙って途中まで伸びている。部分の各々は、その側部に形成され且つその底端縁付近に配置された水平溝も有している。部分の各々の溝はワゴンの恒久的な壁の頂部に周縁方向に配置された縁部又はリップ部を受け入れる。各部分の端部の各々にはその他の部分の対向端部上に形成され又はその対向端部に形成されたタブ又はスロットに係合するスロット又はタブが設けられている。２つの壁伸長部分はワゴン上に配置され、その溝が恒久的な壁の周縁部を受け入れ、その端部のタブ及びスロットが互いに係合可能であるようにされている。部分の端部のタブ及びスロットはねじによって共に固着されている。従って、バリガらの米国特許第４，９０３，８３１号の側部伸長部分は、ワゴンに取り付け且つワゴンから取り外すためには工具を必要とする。
【０００８】
従って、本発明の１つの目的は、互いに及びワゴンの双方に確実に組み立てることのできる取外し可能な壁を有する子供のワゴンを提供することである。
本発明の別の目的は、互いに且つワゴンの双方を容易に組み立てることができる取外し可能な壁を有する子供のワゴンを提供することである。
【０００９】
本発明の更に別の目的は、工具を使用せずに取り付け又は取り外すことのできる取外し可能な壁を有する子供のワゴンを提供することである。
本発明の更に別の目的は、経済的に製造できる取外し可能な壁を有するワゴンを提供することである。
【００１０】
本発明の更に別の目的は、耐久性のある取外し可能な壁を有するワゴンを提供することである。
【００１１】
【課題を解決するための手段】
本発明の子供用ワゴンは、取り巻くリップ部を有する水平床を含む、プラスチックで成形されることが好ましい本体を備えている。取り巻くリップ部は形成された空所を有している。１対の後輪が枢動ボルスターとして本体に取り付けられている。１対の前輪及びハンドルはボルスターに取り付けられている。
【００１２】
ワゴンはまた成形したプラスチックで製造されることが好ましい前壁、後壁及び側壁を有している。壁の各々は少なくとも１つのタブが形成された底端縁を有している。タブの各々はワゴン本体の空所の１つに係合可能な寸法とされている。前壁及び後壁の底端縁の各々はまた少なくとも１つの掛止突起も有している。掛止突起はまたワゴン本体に形成された相応する空所にも係合する。その結果、壁は水平床を取り巻き得るようにワゴン本体に取外し可能に取り付けられる。
【００１３】
前壁及び後壁の各々は、第１の側端縁及び第２の側端縁を有する一方、側壁の各々は前縁及び後縁を有している。水平面は壁の各々に形成され且つ側端縁、前縁及び後縁の各々に隣接して配置されている。水平面の各々は該面に形成されたカップ及ノブを有している。側壁カップの各々は前壁又は後壁ノブの１つを受け入れ得る寸法とされ、また、前壁及び後壁カップの各々は側壁ノブの１つを受け入れ、側壁はその前縁によって前壁に接続され、その後縁によって後壁に接続されるような寸法とされている。
【００１４】
【発明の実施の形態】
図１には本発明による構造とされたワゴンが図示されている。該ワゴンは、ワゴン本体１５と、１対の前輪１４ａと、１対の後輪１４ｂと、全体として参照番号１６で表示した引張り及びステアリングハンドルとを備えている。ワゴンの後輪は金属製車軸によってワゴン本体に取り付けられることが好ましい。ワゴンの前輪１４ａは、同様に、好ましくは金属製車軸によってボルスター２１に取り付けられている。ボルスターは本体１５の底部に枢動可能に接続されている。ハンドル１６は、ヒンジ１８を使用してボルスター２１に枢動可能に接続され且つ容易に把持し得るようにループ部分１９を特徴としている。
【００１５】
ワゴンはまた、全体として、それぞれ参照番号２２ａ、２２ｂで示した左側壁及び右側壁と、前壁２４と、後壁２６とをも特徴としている。左側壁及び右側壁は前縁１７ａ、１７ｂをそれぞれ有し且つ後縁２９ａ、２９ｂをそれぞれ有している。以下に説明するように、有用性及び輸送並びに格納の容易さを向上させ得るように、壁はワゴンから取り外すことができる。ワゴン本体、取外し可能な壁、ボルスター及びハンドルは、耐久性及び軽量であるように成形したプラスチックでできていることが好ましい。強度のため、壁は通路２５ａ、２５ｂを備えて成形されることが好ましい。これら通路は壁が積重ねた水平部材でできているような外観を呈し、このため、審美的目的をも果たす。カップホルダー２３は１つ又はより多数の壁の内面に選択的に成形することができる。
【００１６】
図２には、図１の前壁２４、後壁２６及び側壁２２ａ、２２ｂを取り外したワゴンの頂面図が図示されている。全体として参照番号１５で示したワゴン本体は水平床２０から成っている。増大した強度及び牽引力を提供し得るようにリブ２７は水平床内に成形することができる。リップ部２８は水平床２０を取り巻き且つ該水平床２０から僅かに上方に伸びている。リップ部２８は、本体１５内に下方に伸びる側壁空所３０ａ、３０ｂ、３１ａ、３１ｂ、３２ａ、３２ｂを有している。更に、リップ部２８は前壁空所３３ａ乃至３３ｃ及び後壁空所３４ａ乃至３４ｃを有している。図１に参照番号３５で図示するように、本体は、図２に参照番号３７で示した取外し可能なパッド付き座部パネルを持上げることによりアクセス可能である中空の格納区域を選択的に備えることができる。
【００１７】
図１の後壁は、図３及び図４に全体として参照番号２６で示してある。後壁は、掛止突起３８ａ、３８ｂが側部に接するその底端縁３９に取り付けられた下方に伸長する中央タブ３６を有している。後壁はまた側端縁４３ａ、４３ｂに隣接して配置された水平面４２ａ、４２ｂを画成する切欠き部分４１ａ、４１ｂも有している。ノブ４４ａ、４４ｂが切欠き部分４１ａ、４１ｂの水平面４２ａ、４２ｂ上にそれぞれ取り付けられている。以下に説明するように、ノブ及び切欠き部分は後壁が左及び右側壁（図１の２２ａ、２２ｂ）に固着することを許す。
【００１８】
後壁２６は図５に図示した仕方にてワゴン本体１５に取り付けられる。より具体的には、後壁は、矢印５２で示すように、ワゴン本体に向けて下降し且つ中央タブ３６が空所３４ｂと整合され、掛止突起３８ａ、３８ｂが空所３４ａ、３４ｃとそれぞれ整合されるような方位状態とされている。次に、後壁を傾動させ、その頂端縁５１が図５に図示するように、ワゴン又は床２０の前方に向けて付勢されるようにする。次に、後壁を矢印５２で示した方向に向けてワゴン本体に向けて更に下降させるとき、掛止突起３８ａ、３８ｂを空所３４ａ、３４ｃ内に挿入する。次に、後壁を矢印５４の方向に動かし、掛止突起が空所３４ａ、３４ｃに完全に係合し、タブ３６が空所３４ｂに係合するようにする。
【００１９】
図３、図４に参照番号５５で示すように、タブ３６には、選択的に空所３４ｂ内でより緊密に嵌まるように盛上がった小塊部５５を設けることができる。更に、中央タブ３６及び掛止突起３８ａ、３８ｂは、後壁をワゴンに組み立てたとき、そのそれぞれの空所と緊密な嵌まり状態が実現されるような寸法とすることができる。後壁が重力によって所要位置に止まっている間、掛止突起と空所との間、及び中央タブと空所との間に緊密な嵌まり状態が組み立てられた壁に対して安定性を提供し、また、所望であるとき、壁の全てが所要位置にない状態でワゴンを使用することを可能にする。このことは、前壁のタブ及び掛止突起並びに以下に説明する左側壁及び右側壁のタブに対しても当て嵌まる。
【００２０】
図１の前壁は図６及び図７に全体として参照番号２４で示してある。図３、図４の後壁の場合と同様に、前壁は掛止突起５８ａ、５８ｂが側部に接するその底端縁５９に取り付けられた下方に伸びる中央タブ５６を備えている。前壁はまた側端縁６３ａ、６３ｂに隣接して配置された水平面６２ａ、６２ｂを画成する切欠き部分６１ａ、６１ｂも有している。ノブ６４ａ、６４ｂは水平面６２ａ、６２ｂにそれぞれ取り付けられている。後壁の場合と同様に、ノブ及び切欠き部分は、以下に説明するように、前壁を左側壁及び右側壁（図１の２２ａ、２２ｂ）に固着することを許容する。
【００２１】
前壁２４は、図５に後壁２６について図示した仕方にてワゴン本体１５（図１、図２）に取り付けられる。より具体的には、前壁の掛止突起５８ａ、５８ｂはワゴン本体（図１）の空所３３ａ、３３ｃ内に挿入されるが、前壁は、その頂端縁６５がワゴンの後部又は床に向けて付勢された状態で傾動される。掛止突起が最初にそのそれぞれの空所に入ると、前壁は完全な垂直方位状態に向けて回転し、このため、その中央タブ５６はワゴン本体（図１）の空所３３ｂ内に挿入され、掛止突起は空所３３ａ、３３ｃに完全に係合する。
【００２２】
一度び前壁及び後壁がワゴン本体に組み立てられたならば、図１の左側壁２２ａ及び右側壁２２ｂを取り付けることができる。左側壁及び右側壁の各々は以下に説明する仕方にて、ワゴン本体及び前壁並びに後壁の双方に係合する。
【００２３】
図８及び図９に図示するように、右側壁２２ｂの後端２９ｂは水平方向に伸びる部分７２を有している。ノブ７４は水平方向に伸びる部分７２の下側部７５から下方に伸びている。更に、下方に伸びるノブ７４と右側壁２２ｂの残りの部分との間を水平方向に伸びる部分７２の下側にカップ７６が形成されている。
【００２４】
図３及び図４に関して説明したように、後壁２６は、ノブ４４ａ、４４ｂがその上に取り付けられる水平面４２ａ、４２ｂを画成する切欠き部分を有する。図８及び図９に図示するように、ノブ４４ｂと後壁２６の残りの部分との間で水平面４２ｂにカップ７８も形成されている。図８及び図９に図示しないが、図３及び図４の水平面４２ａにはまたノブ４４ａと後壁の残りの部分との間に配置されたカップも設けられている。
【００２５】
図８に図示するように、右側壁２２ｂはその底端縁８４の上に配置された下方に伸びるタブ８２を有している。壁がワゴン本体１５に取り付けられたとき、タブ８２は空所３２ｂに係合する。右側壁２２ｂはまたその底端縁８４から下方に伸びる２つの追加的なタブも有している。これら２つの追加的なタブ（図示せず）は、壁をワゴン本体１５の上に取り付けたとき、図２の空所３０ｂ、３１ｂに係合可能な寸法及び配置とされている。
【００２６】
後壁のカップ７８は右側壁２２ｂの下方に伸びるノブ７４を受け入れ得る寸法とされている。同様に、右側壁のカップ７６は後壁のノブ４４ｂを受け入れ得る寸法とされている。その結果、右側壁のタブ８２を空所３２ｂ内に下降させ、残りの右側壁のタブを空所３０ｂ、３１ｂ内に下降させると、ノブ７４はカップ７８に係合する一方、ノブ４４ｂがカップ７６に係合する。カップ７６、７８の多少拡張した形態は、製造中、壁の成形を容易にし且つ組立て中、適正なタブを導入することをも容易にする。
【００２７】
取り付けられた後側壁及び右側壁は、図１０に全体として参照番号８８で示した継手を形成する。ノブ４４ｂ、７４がカップ７８、７６とそれぞれ相互作用する結果、壁は相互係止状態で接続され、これにより、右側壁及び後側壁が多数の方向に向けて互いに動くのを防止する。その結果、継手は極めて強固であるが、右側壁２２ｂを持上げることにより容易に分解することができる。
【００２８】
図５に図示するように、掛止突起３８ａ、３８のため、後壁２６は、ワゴン本体１５から取り外す前に、その頂端縁を前方に付勢させた状態で傾動させなければならない。右側壁２２ｂ及び（又は）左側壁２２ａは、取り付けられたとき、後壁２６が前方に傾動するのを防止する。その結果、１つ又はより多数の側壁を取り付けることは後壁をワゴン本体内に係止する効果がある。前壁及び後壁の構造が同様であるため、１つ又はより多数の側壁を取り付けることはまた前壁をワゴン本体内に係止することにもなる。
【００２９】
ワゴン壁を取り付ける最初の工程は、図１１に図示するように、左側壁２２ａを取り付けることである。右側壁と同様に、左側壁はその底端縁９６から下方に伸びる３つのタブ９０、９２、９４を特徴としている。タブ９０、９２、９４を空所３０ａ、３１ａ、３２ａとそれぞれ整合させ且つ左側壁を矢印１００、１０２、１０４で示すように、ワゴン本体に向けて下降させることにより、左側壁が取り付けられる。
【００３０】
図１２に図示するように、前壁２４の水平面６２ａにはノブ６４ａ及びカップ１０６が設けられている。図１２及び図１３には図示しないが、図６及び図７の水平面６２ｂにはまたノブ６４ｂと前壁の残りの部分との間に配置されたカップが設けられている。
【００３１】
図１３（及び図１１）に図示するように、左側壁２２ａの前縁１７ａは水平方向伸長部分１０８を有している。ノブ１１２は水平方向伸長部分１０８の下側部１１４から下方に伸びている。更に、下方に伸びるノブ１１２と右側壁２２ａの残り部分間で水平方向伸長部分１０８の下側部にカップ１１６が形成される。
【００３２】
前壁のカップ１０６（図１２）は左側壁２２ａの下方に伸びるノブ１１２（図１１、図１３）を受け入れ得る寸法とされている。同様に、左側壁のカップ１１６は前壁のノブ６４ａを受け入れ得る寸法とされている。その結果、図１１に図示するように、左壁を取り付けた位置まで下降させると、ノブ６４ａはカップ１１６に係合する一方、ノブ１１２はカップ１０６に係合する。カップ１０６、１１６の多少拡張した形態はノブの的確な導入を容易にし、更に、製造過程中、壁を成形することを容易にする。取り付けられた前側壁及び左側壁は、図１０に図示し且つ図１０に関して説明したものと同様の継手を形成する。
【００３３】
左側壁２２ａの後縁２９ａ（図１１）は図８の水平方向伸長部分７２、ノブ７４及びカップ７６の鏡像である構造体を特徴とする。右側壁の前端は図１３の伸長部分１０８、ノブ１１２及びカップ１１６の鏡像である構造体を特徴としている。その結果、ワゴンの右前側隅部及び左後側隅部の双方は、壁が取り付けられたとき、図１０に図示し且つ図１０に関して説明したもののような継手を特徴とする。
【図面の簡単な説明】
【図１】壁が取り付けられた本発明ワゴンの一実施形態の斜視図である。
【図２】壁を取り外した図１のワゴンの頂面図である。
【図３】図１のワゴン後壁の拡大側面図である。
【図４】図３の後壁の背面図である。
【図５】側壁を取外し、後壁に取り付ける過程中の図１のワゴンの後側部分の斜視図である。
【図６】図１のワゴン前壁の拡大側面図である。
【図７】図６の前壁の正面図である。
【図８】図１のワゴンの右側部及び後側部を接続する過程中の拡大分解頂面斜視図である。
【図９】図８の壁の底部斜視図である。
【図１０】接続された後の図８及び図９の壁の斜視図である。
【図１１】前壁、後壁及び右側壁を取り付け、左側壁が取り付けられる過程中における図１のワゴンの分解斜視図である。
【図１２】接続される過程中における図１のワゴンの左側壁及び前壁の拡大分解頂面斜視図である。
【図１３】図１２の壁の底部斜視図である。
【符号の説明】
１４ａ  前輪                      １４ｂ  後輪
１５  ワゴン本体                  １６  ハンドル
１７ａ、１７ｂ  前縁              １８  ヒンジ
２０  水平床                      ２１  ボルスター
２２ａ  左側壁                    ２２ｂ  右側壁
２３  カップホルダー              ２４  前壁
２５ａ、２５ｂ  通路              ２６  後壁
２７  リブ                        ２８  リップ部
２９ａ、２９ｂ  後縁／後端
３０ａ、３０ｂ、３１ａ、３１ｂ、３２ａ、３２ｂ  側壁空所
３３ａ、３３ｂ、３３ｃ  前壁空所
３４ａ、３４ｂ、３４ｃ  後壁空所
３５  格納部分                    ３６  中央タブ
３８ａ、３８ｂ  掛止突起          ３９  底端縁
４１ａ、４１ｂ  切欠き部分        ４２ａ、４２ｂ  水平面
４３ａ、４３ｂ  側端縁            ４４ａ、４４ｂ  ノブ
５１  頂端縁                      ５５  小塊部
５８ａ、５８ｂ  掛止突起          ５９  底端縁
６３ａ、６３ｂ  側端縁            ６２ａ、６２ｂ  水平面
６１ａ、６１ｂ  切欠き部分        ６４ａ、６４ｂ  ノブ
７２  水平方向伸長部分            ７４  ノブ
７５  水平方向伸長部分の下側部    ７６、７８  カップ
８２  タブ                        ８４  底端縁
８８  継手                        ９０、９２、９４  タブ
５２、５４、１００、１０２、１０４  矢印
１０６、１１６  カップ            １０８  水平方向伸長部分
１１２  ノブ
１１４  水平方向伸長部分１０８の下側部
【図１】
0003837106.tif 000002
【図２】
0003837106.tif 000003
【図３】
0003837106.tif 000004
【図４】
0003837106.tif 000005
【図５】
0003837106.tif 000006
【図６】
0003837106.tif 000007
【図７】
0003837106.tif 000008
【図８】
0003837106.tif 000009
【図９】
0003837106.tif 000010
【図１０】
0003837106.tif 000011
【図１１】
0003837106.tif 000012
【図１２】
0003837106.tif 000013
【図１３】
0003837106.tif 000014